(57)【要約】【課題】頭部の自毛の少なくなった部位に被着されるかつら用ネットであって、義毛と自毛との間の違和感がなく、ネットの露見もなく外観美の向上が図れるかつら用ネットを提供する。【解決手段】頭部の所望箇所に被着される周縁部の内部には隠蔽部３と調整部４と活毛部５とが設けられ、隠蔽部３は人工皮膚または細メッシュのネット状のものからなり、自毛８を引き出す活毛部５は粗いネット状のものからなり、該活毛部はランド部６で細長の開口部９ａと四角枠体で囲まれた小開口部９ｂを設け、また、調整部４は前記活毛部５よりメッシュが細かいネットからなり義毛１０が植設され、この調整部４の存在により、このかつらネット１を頭部に被着すると義毛１０と自毛８とが混在しぼかされ、違和感がなく、かつ外部からのネットの露見もない構成である。【選択図】    図１
2006070392.tif 000002
【特許請求の範囲】
【請求項１】
頭部の自毛の少ない部位に着脱可能に被着されるかつらネットであって、該かつらネットは、頭部に装着固定される周縁部と、この周縁部の内側に形成される人工皮膚または細メッシュのネット状の隠蔽部、粗メッシュのネット状の活毛部、及び該活毛部と前記隠蔽部との間に形成され、該活毛部より細かいメッシュのネット状の調整部とを配置してなり、これら隠蔽部、調整部、活毛部とが夫々隣接して配置されることを特徴とするかつら用ネット。
【請求項２】
頭部の自毛の少ない部位に着脱可能で隠蔽部、調整部、活毛部とがそれぞれ隣接して配置されるかつらネットにおいて、前記活毛部の開口はランド部によって粗く仕切られると共に、隣接するランド部の境界に四角枠体部を形成し、隣接するランド部や四角枠体部内には小開口部が形成されていることを特徴とする請求項１に記載のかつら用ネット。
【発明の詳細な説明】
【技術分野】
【０００１】
本発明は、頭部の自毛の少なくなった部位に被着され、義毛を植設してあるかつら用または部分かつら用ネットに係り、特に、かつら被着時に自毛が引き出しやすく、かつ、自毛と義毛との混在形態に外観上に違和感がなく、ネット素材の露見が緩和される自毛活用型のかつら用ネットに関する。
【背景技術】
【０００２】
頭部の自毛の少なくなった部位には部分かつらが被着され、この部位を義毛でカバーし、外観美を向上させている。この部分かつらとしては各種のものが従来から研究開発されているが、例えば、特許文献１、特許文献２などが知られている。また、かつらベースから自毛を引き出し、かつらに植毛した義毛と混合させる自毛活用型のかつらにおいて自毛引き出し、易い構造として特許文献３および特許文献４などが知られている。
【特許文献１】実開平５−２２５２２号公報図１
【特許文献２】特開平８−１５８１３０号公報（図２）
【特許文献３】特開昭６２−１４１１０７号公報（第１図）
【特許文献４】特開平１１−１０７０２４号公報（図１）
【発明の開示】
【発明が解決しようとする課題】
【０００３】
特許文献１では、止着基部の内周縁部に沿ってチェーン状細糸部材を取り付けると共に、このチェーン状細糸部材を該止着基部の内側に所定の間隔で縦横に配置し、これに毛髪を絡ませて植毛するだけでなく、チェーン状細糸部材自体にも毛髪を植毛するネットである。この構成では頭部の残毛状態によっては止着基部とチェーン状細糸部材に植毛可能密度に差があるために、たとえ止着基部の内周縁に沿ってチェーン状細糸部材を配設してそこに植毛したとしても自毛と義毛との境が明瞭になり充分なぼかし効果が得られず、かつら被着時の美観も損なわれる。
特許文献２の特開平８−１５８１３０号公報は、頭部の自毛の少なくなった部位に被着されるネット状の部分かつらであって、頭部に密着されると共に毛材２を植設してなる楕円状の密着部３と、この密着部３に囲まれる内部に張架され毛材２を植毛してなる人工皮膚の表面１１とからなる。植毛される密度は密着部３の部分と人工皮膚の表面１１の部分とで異なり、密着部３の方が密に植毛され、これら毛材２を絡ませてセットし全体としての違和感のないようにしている。
この特許文献２のかつらベースにおける人工皮膚では義毛の植毛可能な本数いわゆる植毛密度は図７から図９に示す通りに広範囲にわたり植毛することが可能であるが、ネットの場合にはネットを構成している糸および該糸の交点だけにしか植毛できず人工皮膚と比らべ義毛の植毛可能な本数いわゆる植毛密度が図7ｂから図９ｂ示されるように限定される。このことより、人工皮膚への植毛密度が低い場合（図７）には密着部（３）の植毛密度は充分人工皮膚および自毛に対応可能であり、密着部（３）と頭部自毛との繋がりにも自然観が得られる。一方人工皮膚への植毛密度が高い場合（図９）には、密着部（３）の植毛密度を人工皮膚の植毛密度と同一あるいはそれ以上にすることが困難であり、人工皮膚と密着部および密着部と頭部自毛の繋がりが悪くなり、かつら被着時の自然観が損なわれると共にスタイルセットがし難くなる。
【０００４】
また、特許文献３は、六角形状が多数連続する状態で編み込まれた六角形状の網地によるものではかつらを頭部に取り付けるときに、六角形状の空間から整髪用ブラシを用いて自毛を引き出し、引き出した自毛を植毛した義毛にミキシングさせるものが開示されている。
このような形状の場合は整髪用ブラシを用いて自毛を引き出す時一本、一本の自毛が網に挟まったままとなって、引き出し作業が容易に行えない。また、ブラシの櫛歯先端が網目内に入ると引っ掛かりやすく、ブラシを引き抜くことが困難であり、無理に力を加えるとネットが破断れたり、ブラシが破損することがあった。その上、かつらの外側へ引き出した自毛がブラッシングや被着後の時間経過に伴って再び頭皮とかつらベースとの間に潜りこんでしまう問題があった。
【０００５】
特許文献４のかつらは、かつらベースの周枠部内で細糸部材５を波形を呈するように左右に蛇行させて所定間隔で前頭部と後頭部の間に掛け渡し、隣り合う上記細糸部材５の波形の位相を反転させて相隣り合う細糸部材５の最も近接している部分同士を括り糸で連結することにより曲線状の略菱形状の網目４のパターンを複数連続して形成する構成である。自毛を引き出すときにブラシの櫛歯が網目や括り糸に入り込んだり、引き出す自毛の摩擦によってネット全体が移動しやすい。及びネットの目の形状が変形し易いことにより、ネット目の下にある自毛に確実にかつ均一に引き出すことが難しく、個々のネット目によって引き出された自毛の本数、毛の向きに差がでて被着時の外観美が損なわれ、しぜんなスタイルにまとめあげることが困難であるという問題があった。
【０００６】
本発明は、以上の問題点を解決するもので、義毛と自毛との間の違和感がなく、かつネットの露見がなく、外観美の向上が図れる部分かつらネットを提供することを課題とする。
また、本発明の課題は、部分かつらを装着した時に、自毛と義毛との境界部分のぼかし効果を発揮するかつら用ネットを提供することである。
【課題を解決するための手段】
【０００７】
本発明は、以上の課題を達成するために、請求項１の発明は、頭部の自毛の少ない部位に着脱可能に被着されるかつらネットであって、該かつらネットは、頭部に装着固定される周縁部と、この周縁部の内側に形成される人工皮膚または細メッシュのネット状の隠蔽部、粗メッシュのネット状の活毛部、及び該活毛部と前記隠蔽部との間に形成され、該活毛部より細かいメッシュのネット状の調整部とを配置してなり、これら隠蔽部、調整部、活毛部とが夫々隣接して配置される構成である。
【０００８】
また、本発明の課題は、頭部の自毛の少ない部位に着脱可能で隠蔽部、調整部、活毛部とがそれぞれ隣接して配置されるかつらネットにおいて、前記活毛部の開口はランド部によって粗く仕切られると共に、隣接するランド部の境界に四角枠体部を形成し、隣接するランド部や四角枠体部内には小開口部が形成されている構成によって達成できる。
【発明の効果】
【０００９】
本発明のかつら用ネットによれば、調整部を設けることにより活毛部と隠蔽部との間の外観上に違和感もなく、隠蔽部や調整部のネットの露見もなく、さらに頭部の自毛の少なくなった部位のみを被覆するものではなく、自毛が充分にある部位も含めて被覆する活毛部を一体的に設けたこと、及び活毛部のネットが自毛を引き出し易く、さらにこの活毛部のネットの開口が大きな開口部および小さな開口部を設けることで各開口部が独立した状態となり、活毛部ネット全体が動きにくくなり、開口から自毛が均一に引き出せなくても小開口部に植毛された義毛が自毛を引き出した部分の毛髪密度調整の役目をすることで、全体として外観美の向上が図れ、自然なヘアスタイルにまとめられる効果が上がる。
【発明を実施するための最良の形態】
【００１０】
以下、本発明かつら用ネットの実施の形態について図面を参照して詳述する。
図１は本発明のかつら用ネット１の全体構造を表側から示すものである。図２は本発明の図１Ａ矢視先端部分の隠蔽部，調整部，活毛部の形状を説明するための模式断面図である。図３は本発明かつら用ネットを頭部に被着した場合における図２の状態における自毛との係合状態を示す模式断面図である。図４は本発明のかつら用ネットの他の実施形態表側の平面図である。図５は従来のかつら用ネット図１Ａ矢視の先端部分における隠蔽部と活毛部とを示す模式断面図である。図６は従来のかつら用ネット図１Ａ矢視の先端部分における隠蔽部と活毛部とを示す模式断面図である。図７〜図９は従来のネットにおける義毛を低密度、中密度、高密度で植毛した状態を説明する模式図である。
【００１１】
かつら用ネット１は頭部の必要部位に装着するように所定の大きさのネットで形成されている。例えば、頭部の自毛が薄くなっている部位、すなわち必要部位の外周に沿って形成する周縁部２から形成され、この周縁部２の内側に配設されるネット部とからなり、このネット部としてはメッシュ目の細かいネット状または人工皮膚の隠蔽部３と、自毛を引き出すのに適した大きさのメッシュ目の粗い活毛部５と、この隠蔽部３とこの活毛部５のメッシュ目より細かいメッシュの調整部４とからなる。
【００１２】
前記隠蔽部３は頭部の自毛のほとんどない部位に等しい面積を有しており、図１のように頭部の分け目位置だけでなく、図２のように前頭部に配設してあってもよく、自毛のほとんどない位置の何れにも配設できる。この隠蔽部３は図示のように細メッシュのネット状または通気性のある人工皮膚のものからなる。
一方、自毛を引き出す活毛部５は、ランド部６で仕切られている開口９である開口部９ａを有すると共に、隣接するランド部６，６を結合する四角枠体部７を適宜配置したものからなり、隣接するランド部６，６間や四角枠体部７内には多数本の自毛８が貫通し得る広い開口部９ａと小開口部９ｂとが形成されている。また、該活毛部５のネットを配設する方向は、図１だけでなく図３の方向に配設してもよく、被着者の自毛の状態に応じて適宜選択すればよい。
【００１３】
本発明のかつら用ネット１の調整部４は、隠蔽部３と活毛部５との間に配置されるネット部材からなり、活毛部５よりも細メッシュのネットからなる。
このかつら用ネットの裏側に形成される周縁部２と交わる接着台部１１が配設されており（図４参照）、この接着台部１１は、小面積に形成され、頭皮に接着するために表面が平滑で人工皮膚状、ネット状物質で形成されている。この部分のネット目の粗さは調整部４と同じでもよい。このように裏側にはストッパーなどの止着具を取付けるネットあるいは人工皮膚を所望の箇所に配設しても構わない。
【００１４】
一例として隠蔽部３のネットは１インチ角の中に５０本の縦横の糸が織られているものからなり、調整部４のネットは１インチ角の中に１８本の縦横の糸が織られている形状のものからなる。なお、活毛部５の開口部９ａは図示のように調整部４のネットの面積よりはるかに大きな空間を形成するもので、前頭部から後頭部にかけて細長く形成してある。なお、図１の下方に示される模式図は図１のＡ矢視の先端部位の模式的拡大図である。
【００１５】
図５は図１のＡ矢視の先端部位における隠蔽部３と調整部４及び活毛部５の義毛１０の植設形態を示すもので、図５，図６と同じ内容の拡大断面図である。図示のように、隠蔽部３には多くの義毛１０が植設されており、調整部４にもそのネット部に義毛１０が植設されている。なお、活毛部５のランド部６にも数多くの義毛１０が植設される。
【実施例１】
【００１６】
図６は図１，図５等に示したかつら用ネット１を頭部に被着し、義毛１０と自毛８とをからませた状態を示す。かつら用ネットを頭部に被着すると隠蔽部３のネットの隙間からは自毛８は出ない（この部分には自毛８がなく、かつ隠蔽部３のネット間の隙間も狭いため自毛８は出てこない）。一方、調整部４のネット間の隙間は比較的大きいため、自毛８はこの隙間から露出する。また、調整部４と活毛部５との間の開口部９ａからは自毛８が張り出して露出する。このため、活毛部５から隠蔽部３にわたって義毛１０と自毛８とがほぼ均等に露出し、これらを櫛等により梳かすことにより全体が均一となり、自毛８と義毛１０とが混在一体となり区別がつかない状態となり、外観美の向上が図れる。即ち、従来技術のように違和感が緩和され、全体にぼかし効果が得られる。
【産業上の利用可能性】
【００１７】
本発明は、男女を問わず、かつら、部分かつらにすべて適用されるものであり、その大きさは任意の設定される。また、隠蔽部３，調整部４や活毛部５の面積やメッシュを適宜設定することに活毛の欠陥箇所の形状に差のある頭部に対しても適用される。
【図面の簡単な説明】
【００１８】
【図１】本発明のかつら用ネット１の全体構造を表側から示すものである。
【図２】本発明の図１Ａ矢視先端部分の隠蔽部，調整部，活毛部の形状を説明するための模式断面図である。
【図３】本発明かつら用ネットを頭部に被着した場合における図２の状態における自毛との係合状態を示す模式断面図である。
【図４】本発明のかつら用ネットの他の実施形態表側の平面図である。
【図５】従来のかつら用ネット図１Ａ矢視の先端部分における隠蔽部と活毛部とを示す模式断面図である。
【図６】従来のかつら用ネット図１Ａ矢視の先端部分における隠蔽部と活毛部とを示す模式断面図である。
【図７】従来のネットにおける義毛を低密度で植毛した状態を説明する模式図である。
【図８】従来のネットにおける義毛を中密度で植毛した状態を説明する模式図である。
【図９】従来のネットにおける義毛を高密度で植毛した状態を説明する模式図である。
【符号の説明】
【００１９】
１    かつら用ネット
３    隠蔽部
２    周縁部
４    調整部
５    活毛部
６    ランド部
７    四角枠体部
８    自毛
９    開口部
１０  義毛
１１  接着台 
【図１】
2006070392.tif 000003
【図２】
2006070392.tif 000004
【図３】
2006070392.tif 000005
【図４】
2006070392.tif 000006
【図５】
2006070392.tif 000007
【図６】
2006070392.tif 000008
【図７】
2006070392.tif 000009
【図８】
2006070392.tif 000010
【図９】
2006070392.tif 000011